【事件の表示】
　国際登録第９３０４４７号にかかる国際商標登録出願の拒絶査定に対する審判事件について、次のとおり審決する。
【結論】
　原査定を取り消す。
　本願商標は、登録すべきものとする。
【理由】
１　本願商標
　本願商標は、「ＷＥ　ＫＮＯＷ　ＷＨＡＴ　ＩＴ　ＴＡＫＥＳ　ＴＯ　ＢＥ　Ａ　ＴＩＧＥＲ」の欧文字を横書きしてなり、第９類、第１６類、第３５類、第３７類、第４１類、第４２類及び第４５類に属する国際登録において指定された商品及び役務を指定商品及び指定役務として、２００６年８月２８日にＳｗｉｔｚｅｒｌａｎｄにおいてした商標登録出願に基づいてパリ条約第４条による優先権を主張し、２００７年（平成１９年）２月２８日に国際登録されたものである。
　そして、指定商品及び指定役務については、当審において、２００９年３月１８日に国際登録簿に記録された限定の通報があった結果、第９類「Ｃｏｍｐｕｔｅｒ　ｓｏｆｔｗａｒｅ　ｆｏｒ　ｄｅｓｉｇｎｉｎｇ，ｉｎｓｔａｌｌｉｎｇ　ａｎｄ　ｅｘｅｃｕｔｉｎｇ　ｃｅｎｔｒａｌ　ｃｏｍｐｕｔｅｒ（ｍａｉｎｆｒａｍｅ）ａｎｄ　ｕｓｅｒ／ｓｅｒｖｅｒ　ｐｒｏｇｒａｍｓ　ｆｏｒ　ｉｎｔｅｇｒａｔｉｎｇ　ｆｉｎａｎｃｉａｌ，ｍａｎｕｆａｃｔｕｒｉｎｇ　ａｎｄ　ｓａｌｅｓ　ｆｕｎｃｔｉｏｎｓ　ｏｆ　ａ　ｂｕｓｉｎｅｓｓ　ａｎｄ　ｆｏｒ　ｍａｎａｇｉｎｇ　ｃｕｓｔｏｍｅｒ　ｒｅｌａｔｉｏｎｓ　ａｎｄ　ｓｕｐｐｏｒｔ　ｆｕｎｃｔｉｏｎｓ　ｏｆ　ａ　ｂｕｓｉｎｅｓｓ．」、第１６類「Ｐａｍｐｈｌｅｔｓ，ｂｏｏｋｓ，ｍａｇａｚｉｎｅｓ，ｒｅｐｏｒｔｓ，ｎｅｗｓｐａｐｅｒｓ，ｍａｎｕａｌｓ　ｉｎ　ｔｈｅ　ｆｉｅｌｄ　ｏｆ　ｂｕｓｉｎｅｓｓ　ｍａｎａｇｅｍｅｎｔ，ｉｎｆｏｒｍａｔｉｏｎ　ｔｅｃｈｎｏｌｏｇｙ　ａｎｄ　ｃｏｍｐｕｔｅｒｉｚｅｄ　ｉｎｆｏｒｍａｔｉｏｎ　ｐｒｏｃｅｓｓｉｎｇ．」第３５類「Ｅｘｐｅｒｔ　ａｄｖｉｃｅ　ｒｅｌａｔｉｎｇ　ｔｏ　ｂｕｓｉｎｅｓｓ　ｍａｎａｇｅｍｅｎｔ，ａｄｍｉｎｉｓｔｒａｔｉｏｎ　ａｎｄ　ｃｏｎｓｕｌｔｉｎｇ　ｉｎ　ｂｕｓｉｎｅｓｓ　ａｎｄ　ｍａｒｋｅｔｉｎｇ　ｐｒｏｃｅｓｓｅｓ；ｍｅｄｉａｔｉｏｎ　ｏｆ　ａｇｒｅｅｍｅｎｔｓ　ｒｅｇａｒｄｉｎｇ　ｔｈｅ　ｓａｌｅ　ａｎｄ　ｐｕｒｃｈａｓｅ　ｏｆ　ｇｏｏｄｓ，ｎａｍｅｌｙ　ｔｈｅ　ｐｕｒｃｈａｓｅ　ｏｆ　ｃｏｍｐｕｔｅｒ　ｈａｒｄｗａｒｅ　ａｎｄ　ｓｏｆｔｗａｒｅ　ｆｏｒ　ｔｈｉｒｄ　ｐａｒｔｉｅｓ；ｐｒｏｖｉｄｉｎｇ　ｂｕｓｉｎｅｓｓ　ｃｏｎｓｕｌｔｉｎｇ　ｉｎｆｏｒｍａｔｉｏｎ；ｂｕｓｉｎｅｓｓ　ｐｒｏｊｅｃｔ　ｍａｎａｇｅｍｅｎｔ；ｂｕｓｉｎｅｓｓ　ｆｉｎａｎｃｉａｌ　ａｎａｌｙｓｉｓ；ｆｉｎａｎｃｉａｌ　ｃｏｎｓｕｌｔｉｎｇ　ｏｎ　ｔｈｅ　ａｃｑｕｉｓｉｔｉｏｎ　ｏｆ　ｂｕｓｉｎｅｓｓｅｓ　ｏｒ　ｐａｒｔｉｃｉｐａｔｉｏｎ　ｉｎ　ｂｕｓｉｎｅｓｓ　ｕｎｄｅｒｔａｋｉｎｇｓ　ａｎｄ　ｂｕｓｉｎｅｓｓ　ｍｅｒｇｅｒｓ；ｍａｒｋｅｔ　ａｎａｌｙｓｅｓ；ｂｕｓｉｎｅｓｓ　ａｐｐｒａｉｓａｌ　ｐａｒｔｉｃｕｌａｒｌｙ　ｃｏｓｔ−ｐｒｉｃｅ　ａｎａｌｙｓｅｓ；ｂｕｓｉｎｅｓｓ　ｍｏｎｉｔｏｒｉｎｇ　ｓｅｒｖｉｃｅｓ，ｎａｍｅｌｙ　ｆｉｎａｎｃｉａｌ　ｓｔａｔｅｍｅｎｔ　ｐｒｅｐａｒａｔｉｏｎ　ａｎｄ　ａｎａｌｙｓｉｓ　ｆｏｒ　ｂｕｓｉｎｅｓｓｅｓ；ｂｕｓｉｎｅｓｓ　ｍａｎａｇｅｍｅｎｔ　ｃｏｎｓｕｌｔｉｎｇ；ｅｃｏｎｏｍｉｃ　ｆｏｒｅｃａｓｔｉｎｇ　ａｎｄ　ａｎａｌｙｓｉｓ；ｃｏｎｓｕｌｔｉｎｇ　ｏｎ　ｂｕｓｉｎｅｓｓ　ｏｒ　ｏｎ　ｐｅｒｓｏｎｎｅｌ　ｍａｔｔｅｒｓ；ｄｒａｆｔｉｎｇ　ｏｆ　ｂｕｓｉｎｅｓｓ　ｍａｎａｇｅｍｅｎｔ　ｒｅｐｏｒｔｓ；ｃｏｍｐｕｔｅｒ　ｄａｔａ　ｅｎｔｒｙ；ｏｒｇａｎｉｚａｔｉｏｎ　ｏｆ　ｅｘｈｉｂｉｔｉｏｎｓ　ｆｏｒ　ｅｃｏｎｏｍｉｃ　ａｎｄ　ｐｒｏｍｏｔｉｏｎａｌ　ｐｕｒｐｏｓｅｓ　ｉｎ　ｔｈｅ　ｆｉｅｌｄ　ｏｆ　ｂｕｓｉｎｅｓｓ　ｏｒｇａｎｉｓａｔｉｏｎ　ａｎｄ　ｍａｎａｇｅｍｅｎｔ；ｐｒｏｖｉｄｉｎｇ　ｂｕｓｉｎｅｓｓ　ｃｏｎｓｕｌｔｉｎｇ　ｉｎｆｏｒｍａｔｉｏｎ．」、第３７類「Ｉｎｓｔａｌｌａｔｉｏｎ，ｍａｉｎｔｅｎａｎｃｅ　ａｎｄ　ｒｅｐａｉｒ　ｓｅｒｖｉｃｅｓ　ｒｅｌａｔｉｎｇ　ｔｏ　ｃｏｍｐｕｔｅｒ　ｈａｒｄｗａｒｅ　ｓｙｓｔｅｍｓ，ｃｏｍｐｕｔｅｒ　ｎｅｔｗｏｒｋｓ　ａｎｄ　ｃｏｍｐｕｔｅｒ　ｈａｒｄｗａｒｅ，ｉｎｓｔａｌｌａｔｉｏｎ　ａｎｄ　ｍａｉｎｔｅｎａｎｃｅ　ｏｆ　ｃｏｍｐｕｔｅｒ　ｅｑｕｉｐｍｅｎｔ．」、第４１類「Ｅｄｕｃａｔｉｏｎａｌ　ｓｅｒｖｉｃｅｓ，ｎａｍｅｌｙ　ｃｏｎｄｕｃｔｉｎｇ　ｃｌａｓｓｅｓ，ｓｅｍｉｎａｒｓ，ｗｏｒｋｓｈｏｐｓ　ａｎｄ　ｌｅｓｓｏｎｓ　ｏｎ　ｔｈｅ　ｄｅｖｅｌｏｐｍｅｎｔ　ａｎｄ　ｕｔｉｌｉｚａｔｉｏｎ　ｏｆ　ｓｏｆｔｗａｒｅ，ｔｈｅ　ｕｓｅ　ｏｆ　ｓｏｆｔｗａｒｅ，ｏｎ　ｂｕｓｉｎｅｓｓ　ａｆｆａｉｒｓ　ａｎｄ　ｃｏｍｍｅｒｃｉａｌ　ａｃｔｉｖｉｔｉｅｓ，ａｎｄ　ｐｕｂｌｉｃａｔｉｏｎ　ｏｆ　ｒｅｌｅｖａｎｔ　ｃｏｕｒｓｅ　ｍａｔｅｒｉａｌｓ　ｉｎ　ｃｏｎｎｅｃｔｉｏｎ　ｔｈｅｒｅｗｉｔｈ；ｏｒｇａｎｉｚａｔｉｏｎ　ｏｆ　ｅｘｈｉｂｉｔｉｏｎｓ　ｈａｖｉｎｇ　ａｎ　ｅｄｕｃａｔｉｏｎａｌ　ｏｂｊｅｃｔｉｖｅ　ｒｅｌａｔｉｎｇ　ｔｏ　ｂｕｓｉｎｅｓｓ　ｍａｎａｇｅｍｅｎｔ　ａｎｄ　ｃｏｍｍｅｒｃｉａｌ　ａｃｔｉｖｉｔｉｅｓ；ｏｒｇａｎｉｓａｔｉｏｎ　ｏｆ　ｃｏｎｆｅｒｅｎｃｅｓ；ｏｒｇａｎｉｓａｔｉｏｎ　ｏｆ　ｃｏｎｆｅｒｅｎｃｅｓ　ｆｏｒ　ｅｃｏｎｏｍｉｃ　ａｎｄ　ｐｒｏｍｏｔｉｏｎａｌ　ｐｕｒｐｏｓｅｓ　ｒｅｌａｔｉｎｇ　ｔｏ　ｂｕｓｉｎｅｓｓ　ａｎｄ　ｂｕｓｉｎｅｓｓ　ｍａｎａｇｅｍｅｎｔ．」、第４２類「Ｉｎｓｔａｌｌａｔｉｏｎ，ｉｍｐｌｅｍｅｎｔａｔｉｏｎ，ｍａｉｎｔｅｎａｎｃｅ　ａｎｄ　ｒｅｐａｉｒ　ｓｅｒｖｉｃｅｓ　ｒｅｌａｔｉｎｇ　ｔｏ　ｃｏｍｐｕｔｅｒ　ｓｏｆｔｗａｒｅ；ｐｒｏｖｉｄｉｎｇ　ｉｎｆｏｒｍａｔｉｏｎ　ｒｅｌａｔｉｎｇ　ｔｏ　ｉｎｆｏｒｍａｔｉｏｎ　ｔｅｃｈｎｏｌｏｇｙ，ｃｏｍｐｕｔｅｒｓ，ａｎｄ　ｃｏｍｐｕｔｅｒ　ｓｙｓｔｅｍｓ；ｓｃｉｅｎｔｉｆｉｃ　ａｎｄ　ｔｅｃｈｎｉｃａｌ　ｒｅｓｅｒｃｈ；ａｄｖｉｃｅ　ｒｅｌａｔｉｎｇ　ｔｏ　ｃｏｍｐｕｔｅｒｓ，ｉｎｆｏｒｍａｔｉｏｎ　ｓｙｓｔｅｍｓ　ａｎｄ　ｃｏｍｐｕｔｅｒ　ｓｙｓｔｅｍｓ　ｄｅｓｉｇｎ；ｄｅｓｉｇｎ　ａｎｄ　ｄｅｖｅｌｏｐｍｅｎｔ　ｏｆ　ｃｏｍｐｕｔｅｒ　ｓｙｓｔｅｍｓ　ｆｏｒ　ｔｈｉｒｄ　ｐａｒｔｉｅｓ；ｒｅｎｔａｌ　ｏｆ　ａｃｃｅｓｓ　ｔｉｍｅ　ｔｏ　ａ　ｃｏｍｐｕｔｅｒ　ｄａｔａｂａｓｅ　ｏｎ　ｂｕｓｉｎｅｓｓ　ｃｏｎｓｕｌｔｉｎｇ，ｉｎｆｏｒｍａｔｉｏｎ　ｔｅｃｈｎｏｌｏｇｙ，ｃｏｍｐｕｔｅｒｓ，ｃｏｍｐｕｔｅｒ　ｓｙｓｔｅｍｓ；ｉｎｆｏｒｍａｔｉｏｎ　ｔｅｃｈｎｏｌｏｇｙ　ｃｏｎｓｕｌｔｉｎｇ；ｃｏｍｐｕｔｅｒ　ｓｏｆｔｗａｒｅ　ｄｅｓｉｇｎ　ｆｏｒ　ｔｈｉｒｄ　ｐａｒｔｉｅｓ；ｃｏｍｐｕｔｅｒ　ｓｙｓｔｅｍ　ｄｅｓｉｇｎ；ｗｅｂｓｉｔｅ　ｄｅｓｉｇｎ；ｉｎｓｔａｌｌａｔｉｏｎ，ｉｍｐｌｅｍｅｎｔａｔｉｏｎ，ｍａｉｎｔｅｎａｎｃｅ　ａｎｄ　ｒｅｐａｉｒ　ｏｆ　ｓｏｆｔｗａｒｅ；ｅｎｇｉｎｅｅｒｉｎｇ　ｐｒｏｊｅｃｔ　ｐｌａｎｎｉｎｇ；ｄｒａｗｉｎｇ　ｕｐ　ｏｆ　ｃｏｕｒｓｅ　ｍａｔｅｒｉａｌ　ｏｎ　ｃｏｍｐｕｅｒ　ｓｏｆｔｗａｒｅ　ｄｅｖｅｌｏｐｍｅｎｔ　ａｎｄ　ｉｍｐｌｅｍｅｎｔａｔｉｏｎ　ｆｏｒ　ｔｈｉｒｄ　ｐａｒｔｉｅｓ，ｎａｍｅｌｙ　ｃｏｍｐｕｔｅｒ　ｓｏｆｔｗａｒｅ　ｄｅｓｉｇｎ．」及び第４５類「Ｍｅｄｉａｔｉｏｎ（ｌｅｇａｌ　ｓｅｒｖｉｃｅｓ），ｎａｍｅｌｙ　ｓｅｒｖｉｃｅｓ　ｆｏｒ　ｍｅｄｉａｔｉｎｇ　ｂｕｓｉｎｅｓｓ−ｒｅｌａｔｅｄ　ｃｏｎｆｌｉｃｔｓ．」と限定されたものである。
２　原査定の拒絶の理由の要点
　本願に係る指定商品及び指定役務の表示は、その内容及び範囲を明確に指定したものとは認められない。したがって、本願商標は、商標法第６条第１項の要件を具備しない。
３　当審の判断
　本願に係る指定商品及び指定役務については、前記１のとおり補正された結果、商品及び役務の内容及び範囲が明確なものになった。
　その結果、本願の指定商品及び指定役務は、商標法第６条第１項の規定の要件を具備するものとなった。
　したがって、本願商標が商標法第６条第１項の要件を具備しないとした原査定の拒絶の理由は、解消した。
　その他、政令で定める期間内に本願について拒絶の理由を発見しない。
　よって、結論のとおり審決する。